(57)【特許請求の範囲】
【請求項１】
用紙に転写されたトナー像を前記用紙に定着させる一対の定着ロールと、前記定着ロールに対し圧縮空気を供給して前記定着ロールへの用紙の巻付きを防ぐ用紙剥離手段とを備えた定着装置を有し、この定着装置を電子写真装置筐体に対し前記定着ロールの軸方向に引き出し可能に設けた電子写真装置において、
前記定着装置および前記電子写真装置筐体間にピン部材とこのピン部材が嵌合するピン受け部とからなる位置決め手段を設けるとともに、前記位置決め手段を圧縮空気供給源と前記用紙剥離手段との間に介在させて設け、
前記ピン部材およびピン受け部に、前記圧縮空気供給源と前記用紙剥離手段とを繋ぐ圧縮空気経路を形成したことを特徴とする電子写真装置。
【発明の詳細な説明】
【０００１】
【発明の属する技術分野】
定着装置を備えた電子写真装置に関するものである。
【０００２】
【従来の技術】
従来技術の定着装置と電子写真装置筐体の模式図を図３に示す。
【０００３】
加熱ロール１と加圧ロール２を有する定着装置３においては、正常な用紙送りに反して、加熱ロール１あるいは加圧ロール２に用紙（カット紙）が巻付いてしまう場合がある。この巻付きを防止する目的で、ノズル２６から圧縮空気を吹き出して、加熱ロール１又は加圧ロール２から用紙を剥離する方法が知られている。
【０００４】
また、用紙詰まりなどが原因で定着装置内に用紙が残った場合、スライドレール５，６に乗った定着装置３を、加熱ロール１と加圧ロール２の軸方向に、電子写真装置筐体４より引き出し、用紙を取り除く方法が知られている。引き出し可能で、且つ、定着装置３を電子写真装置筐体４内で正確に位置決めする為に、電子写真装置筐体４にピン９，１０，１５，１６を設け、定着装置３のフレームの穴１２，１８，１９，２７にそれぞれが嵌合できるようになっている。
【０００５】
そして、定着装置外の圧縮空気供給源から、引き出し可能な定着装置３の用紙剥離用ノズル２６まで圧縮空気を送る経路を確保する為に、コイル状に巻かれたチューブ２８と、継手２２，２４を用いて連結する方法が知られている。
【０００６】
【発明が解決しようとする課題】
従来の技術では、コイル状に巻かれたチューブの格納スペースが大きく、装置の小型化が困難となる問題点があった。
【０００７】
また、コイル状に巻かれたチューブのガイドとなるシャフトや、それを支持する為の部品などを含めると、部品点数が多くかつ構造が複雑で、高価な装置となる課題があった。
【０００８】
さらには、コイル状に巻かれたチューブの径路が長くなる為に管内抵抗が増大し、ノズルから吹き出す圧縮空気が弱くなり、用紙剥離が困難となる課題があった。
【０００９】
本発明は前記課題を解決し、小型で、構造が簡単で安価な、且つ、信頼性の高い定着装置及び電子写真装置を提供することにある。
【００１０】
【課題を解決するための手段】
上記目的を達成するため、本発明では、用紙に転写されたトナー像を前記用紙に定着させる一対の定着ロールと、前記定着ロールに対し圧縮空気を供給して前記定着ロールへの用紙の巻付きを防ぐ用紙剥離手段とを備えた定着装置を有し、この定着装置を電子写真装置筐体に対し前記定着ロールの軸方向に引き出し可能に設けた電子写真装置において、前記定着装置および前記電子写真装置筐体間にピン部材とこのピン部材が嵌合するピン受け部とからなる位置決め手段を設けるとともに、前記位置決め手段を圧縮空気供給源と前記用紙剥離手段との間に介在させて設け、前記ピン部材およびピン受け部に、前記圧縮空気供給源と前記用紙剥離手段とを繋ぐ圧縮空気経路を形成した。
【００１１】
これによりコイル状チューブの格納スペースが不要となり、且つ、位置決め機構を有することで、装置の小型化が可能となる。また、構造が簡単になり、安価な装置の提供が可能となる。さらには、圧縮空気経路の長さが短くなる為に管内抵抗が低くなり、ノズルから吹き出す圧縮空気が低下せずに、安定した用紙剥離が実現して、信頼性の高い定着装置の提供が可能となった。
【００１２】
【発明の実施の形態】
本発明の実施例である定着装置を図１に示す。
【００１３】
加熱ロール１に加圧ロール２を有する定着装置３は、電子写真装置筐体４に組付けられたスライドレール５，６の可動部に組付けられている。定着装置３内に残った用紙を取り出すには、定着装置３をユニット化し、電子写真装置筐体４から引き出せば容易に行える。
【００１４】
また、信頼性の高い用紙搬送を行う為には、電子写真装置筐体４に定着装置３を正確に位置決めする事が必要である。
【００１５】
その為に、定着装置３を電子写真装置筐体４に押し込んだ場合、筐体のリアフレーム８に高精度に配置されたピン９，１０が、定着装置３のリアフレーム１１に高精度に配置した穴１２とピン受け部１３に嵌合する。同じく、筐体のフロントフレーム１４に高精度に配置されたピン１５，１６が、定着装置３のフロントフレーム１７の穴１８，１９に嵌合して、定着装置３が電子写真装置の筐体４に対して高精度に位置決めされる。
【００１６】
図２は、ピン９と圧縮空気経路の受け部１３が嵌合した部分の断面を図２に示す。
【００１７】
電子写真装置筐体４のリアフレーム８に、ネジ２０で組付けられたピン９には、圧縮空気経路となる貫通穴が施されている。同じく、定着装置３のリアフレーム１１に、ネジ２１で組付けられたピン受け部１３にも貫通穴が施されている。継手２２に接続されたチューブ２３は圧縮空気供給源に繋がり、継手２４に接続されたチューブ２５は剥離用ノズル２６まで繋がっている。
【００１８】
用紙走行に合わせて適時供給された圧縮空気は、この経路によりノズル２６まで供給される。
【００１９】
定着装置ユニットを電子写真装置の筐体４から引き抜く際は、経路が開放されるが、用紙走行は行われていないので、なんら不都合は起きない。
【００２０】
嵌合部の溝に配したＯリング３０は、圧縮空気の洩れを防ぐためのものである。
【００２１】
図３に定着装置３を搭載した電子写真装置の模式図を示す。感光ドラム４１の表面層は帯電器４２によって一様に帯電される。感光ドラム４１の表面は、印字データ信号を受けた光学系４３からの光が照射される。現像機４４には現像剤が収納されている。現像剤は二成分現像の場合はトナーとキャリアからなる。トナーが感光ドラム４１の表面に付着し、顕像化される。感光ドラム４１表面のトナー像は用紙４５に転写器４６によって、転写され、定着装置３によって定着される。転写されずに感光ドラム４１の表面に残ったトナーはクリーナ４７によって清掃される。
【００２２】
【発明の効果】
本発明により、電子写真装置筐体内の定着装置位置を高精度に保ちつつ、装置の小型化、簡単な構造による安価な装置を提供することができる。また、圧縮空気経路の長さが短くなるために管内抵抗が低くなり、ノズルから吹き出す圧縮空気が低下せずに安定した用紙剥離が実現し、信頼性の高い電子写真装置を提供することができる。
【図面の簡単な説明】
【図１】本発明になる定着装置と電子写真装置筐体の一実施例を示す模式図である。
【図２】図１の嵌合部分の断面図である。
【図３】本発明の実施例である電子写真装置の模式図である。
【図４】従来技術を示す模式図である。
【符号の説明】
１…加熱ロール、２…加圧ロール、３…定着装置、４…電子写真装置筐体、５，６…スライドレール、８…電子写真装置筐体のリアフレーム、９，１０…ピン、１１…定着装置のリアフレーム、１２…穴、１３…ピン受け部、１４…電子写真装置のフロントフレーム、１５，１６…ピン、１７…定着装置のフロントフレーム、１８，１９…穴、２０，２１…ネジ、２２，２４…継手、２３，２５…チューブ、２６…ノズル、２７…穴、２８…コイル状に巻かれたチューブ、２９…シャフト、３０…Ｏリング、４１…感光ドラム、４２…帯電器、４３…光学系、４４…現像機、４５…用紙、４６…転写器、４７…クリーナ。
【図１】
0004035705.tif 000002
【図２】
0004035705.tif 000003
【図３】
0004035705.tif 000004
【図４】
0004035705.tif 000005